(57)【要約】【課題】従来の遊技媒体貸出機が備えていた一部の機能の入れ替えを容易にした遊技媒体貸出機及び遊技媒体貸出システムを提供する。【解決手段】貨幣を受け付ける貨幣処理装置１１、有価価値を記録した記録媒体を受け付ける記録媒体処理装置２１、及び遊技媒体を貸し出す貸出装置３１を、夫々別体の装置として構成し、互いに着脱可能に組み合わせ、互いに接続して遊技媒体貸出機を構成する。改良すべき機能を有するいずれかの装置を交換することにより、遊技媒体貸出機の機能の一部の改良が容易となる。また、一体に組み合わせるのではなく、互いの装置を通信ネットワークを介して接続して、遊技媒体貸出システムを構成することも可能である。【選択図】　　　　図４
2004073599.tif 000002
【特許請求の範囲】
【請求項１】
遊技店に設けられ、遊技機での使用が可能な遊技媒体を貸し出すための遊技媒体貸出機において、
遊技媒体を貸し出す貸出装置と、該貸出装置に接続されてあり、貨幣を受け付ける貨幣処理装置、及び／又は有価価値を記録した記録媒体を受け付ける記録媒体処理装置とを備え、
前記貸出装置と、前記貨幣処理装置及び／又は前記記録媒体処理装置とは、別体に構成してあって、互いに直接又は間接に着脱可能に組み合わせてあり、
前記貨幣処理装置は、貨幣を受け付ける手段と、受け付けた貨幣の額に対応した量の遊技媒体の貸し出しを指示する貸出指示を前記貸出装置へ送信する手段とを備え、
前記記録媒体処理装置は、前記記録媒体を受け付ける手段と、受け付けた前記記録媒体に記録されている有価価値を読み出す手段と、読み出した有価価値に対応した量の遊技媒体の貸し出しを指示する貸出指示を前記貸出装置へ送信する手段とを備え、
前記貸出装置は、前記貨幣処理装置又は前記記録媒体処理装置から受信した貸出指示に従った量の遊技媒体を排出する排出手段を
備えることを特徴とする遊技媒体貸出機。
【請求項２】
前記貸出装置と、前記貨幣処理装置、及び／又は前記記録媒体処理装置とを一体に組み合わせて固定する固定枠を更に備え、
該固定枠は、
前記貸出装置、前記貨幣処理装置、及び／又は前記記録媒体処理装置の夫々を、着脱可能に固定する手段と、
前記貸出装置と前記貨幣処理装置又は前記記録媒体処理装置との間で交換される情報を中継する手段と
を備えることを特徴とする請求項１に記載の遊技媒体貸出機。
【請求項３】
前記貸出装置は、
先端が外部へ突出したノズル部を備え、
前記排出手段は、前記ノズル部を経由して遊技媒体を排出すべくなしてあることを特徴とする請求項１又は２に記載の遊技媒体貸出機。
【請求項４】
前記貸出装置は、受皿を備え、
前記排出手段は、前記受皿へ遊技媒体を排出すべくなしてあることを特徴とする請求項１又は２に記載の遊技媒体貸出機。
【請求項５】
前記排出手段は、蓋部を備え、該蓋部は、開状態のときに遊技媒体の取り出しを可能にさせ、閉状態のときに遊技媒体の取り出しを不可能にさせるべくなしてあることを特徴とする請求項１乃至４のいずれかに記載の遊技媒体貸出機。
【請求項６】
前記貨幣処理装置は、
受け付けた貨幣を保管する手段を備えることを特徴とする請求項１乃至５のいずれかに記載の遊技媒体貸出機。
【請求項７】
前記貨幣処理装置は、
受け付けた貨幣を外部へ移送する手段を備えることを特徴とする請求項１乃至５のいずれかに記載の遊技媒体貸出機。
【請求項８】
遊技店に設けられ、遊技機での使用が可能な遊技媒体を貸し出すための遊技媒体貸出システムにおいて、
遊技媒体を貸し出す貸出装置と、該貸出装置に接続されてあり、貨幣を受け付ける貨幣処理装置、及び／又は有価価値を記録した記録媒体を受け付ける記録媒体処理装置とを備え、
前記貸出装置と、前記貨幣処理装置及び／又は前記記録媒体処理装置とは、別体に構成してあって、互いに離間して備えてあり、
前記貨幣処理装置は、貨幣を受け付ける手段と、受け付けた貨幣の額に対応した量の遊技媒体の貸し出しを指示する貸出指示を前記貸出装置へ送信する手段とを備え、
前記記録媒体処理装置は、前記記録媒体を受け付ける手段と、受け付けた前記記録媒体に記録されている有価価値を読み出す手段と、読み出した有価価値に対応した量の遊技媒体の貸し出しを指示する貸出指示を前記貸出装置へ送信する手段とを備え、
前記貸出装置は、前記貨幣処理装置又は前記記録媒体処理装置から受信した貸出指示に従った量の遊技媒体を排出する排出手段を
備えることを特徴とする遊技媒体貸出システム。
【請求項９】
前記貨幣処理装置又は前記記録媒体処理装置は、
認証番号の指定を受け付ける手段と、指定された認証番号を前記貸出装置へ送信する手段とを備え、
前記貸出装置は、受信した認証番号を記憶する手段と、認証番号を受け付ける手段と、受け付けた認証番号と記憶している認証番号とが一致しているか否かを判定する判定手段とを備え、
前記排出手段は、前記判定手段により認証番号が一致すると判定された場合に、遊技媒体を排出すべくなしてある
ことを特徴とする請求項８に記載の遊技媒体貸出システム。
【請求項１０】
前記排出手段は、閉状態のときに遊技媒体の取り出しを不可能にさせる蓋部を備え、該蓋部は、前記判定手段により認証番号が一致すると判定された場合に、開状態となって遊技媒体の取り出しを可能にさせるべくなしてあることを特徴とする請求項９に記載の遊技媒体貸出システム。
【発明の詳細な説明】
【０００１】
【発明の属する技術分野】
本発明は、遊技機での使用が可能な遊技媒体を貸し出すための遊技媒体貸出機及び遊技媒体貸出システムに関する。
【０００２】
【従来の技術】
パチンコ店などの遊技店には、パチンコ機およびパチスロ機などの遊技機が複数台設置されており、遊技者は遊技機で使用するパチンコ玉またはメダル等の遊技媒体を借り入れ、借り入れた遊技媒体を元手に手持ちの遊技媒体を増やすことを目的とする遊技を行う。
【０００３】
遊技媒体貸出機は、遊技店内に設置されており、遊技者から金銭を受け付け、受け付けた金銭に相当する遊技媒体を排出して、遊技媒体を遊技者に貸し出す。遊技媒体貸出機は、金銭を受け付けて処理する金銭処理部と、遊技媒体を排出する貸出部とを備えている。金銭処理部の形態としては、金銭として紙幣を受けつける形態、硬貨を受け付ける形態、又は有価価値を記録したプリペイドカード等の記録媒体を受け付けて、受け付けた記録媒体に記録された有価価値を読み出す形態などがあり、更に、受け付けた貨幣を内部に保管する形態、又は受け付けた貨幣を外部の保管手段へ移送する形態などがある。また、貸出部の形態としては、付属している受皿へ遊技媒体を排出する形態、又は外部へ遊技媒体を排出するノズルを有する形態などがある。
【０００４】
【発明が解決しようとする課題】
遊技店の経営方針、遊技者のニーズ、又は遊技機との相性などの要因により、前述の如き様々な形態の遊技媒体貸出機が開発され、遊技店に設置される。更に、安全性の向上、又は遊技者の利便性の向上のために、機能が改良された新たな形態の遊技媒体貸出機が開発され、遊技店に設置される。従来は、遊技媒体貸出機の一部の機能が改良された場合においても、遊技店は、遊技媒体貸出機の全体を入れ替える必要があり、古い遊技媒体貸出機の撤去、改良された遊技媒体貸出機の導入、及び該遊技媒体貸出機の据え付けなど、遊技媒体貸出機の改良のために必要な手間とコストとが大きいという問題がある。
【０００５】
本発明は、斯かる問題を解決するためになされたものであって、その目的とするところは、遊技媒体を貸し出す貸出装置と、貨幣を受け付ける貨幣処理装置、及び／又は有価価値を記録した記録媒体を受け付ける記録媒体処理装置とを夫々別体の装置として設け、夫々の装置を互いに接続し、全体として遊技媒体貸出機の機能を実現することにより、従来の遊技媒体貸出機が備えていた一部の機能の入れ替えを容易にした遊技媒体貸出機及び遊技媒体貸出システムを提供することにある。
【０００６】
【課題を解決するための手段】
第１発明に係る遊技媒体貸出機は、遊技店に設けられ、遊技機での使用が可能な遊技媒体を貸し出すための遊技媒体貸出機において、遊技媒体を貸し出す貸出装置と、該貸出装置に接続されてあり、貨幣を受け付ける貨幣処理装置、及び／又は有価価値を記録した記録媒体を受け付ける記録媒体処理装置とを備え、前記貸出装置と、前記貨幣処理装置及び／又は前記記録媒体処理装置とは、別体に構成してあって、互いに直接又は間接に着脱可能に組み合わせてあり、前記貨幣処理装置は、貨幣を受け付ける手段と、受け付けた貨幣の額に対応した量の遊技媒体の貸し出しを指示する貸出指示を前記貸出装置へ送信する手段とを備え、前記記録媒体処理装置は、前記記録媒体を受け付ける手段と、受け付けた前記記録媒体に記録されている有価価値を読み出す手段と、読み出した有価価値に対応した量の遊技媒体の貸し出しを指示する貸出指示を前記貸出装置へ送信する手段とを備え、前記貸出装置は、前記貨幣処理装置又は前記記録媒体処理装置から受信した貸出指示に従った量の遊技媒体を排出する排出手段を備えることを特徴とする。
【０００７】
第１発明においては、貸出装置と、貨幣処理装置、及び／又は記録媒体処理装置とを夫々別体の装置として備え、互いの装置が接続された遊技媒体貸出機を構成したため、改良すべき機能を有するいずれかの装置を交換することにより、遊技媒体貸出機の機能の一部の改良が容易となる。
【０００８】
第２発明に係る遊技媒体貸出機は、前記貸出装置と、前記貨幣処理装置、及び／又は前記記録媒体処理装置とを一体に組み合わせて固定する固定枠を更に備え、該固定枠は、前記貸出装置、前記貨幣処理装置、及び／又は前記記録媒体処理装置の夫々を、着脱可能に固定する手段と、前記貸出装置と前記貨幣処理装置又は前記記録媒体処理装置との間で交換される情報を中継する手段とを備えることを特徴とする。
【０００９】
第２発明においては、貸出装置と、貨幣処理装置、及び／又は記録媒体処理装置とを組み合わせて固定し、夫々の装置が着脱可能な固定枠を設けたため、複数種類の形態の夫々の装置を組み合わせて、多様な遊技媒体貸出機を構成することが容易となる。
【００１０】
第３発明に係る遊技媒体貸出機は、前記貸出装置は、先端が外部へ突出したノズル部を備え、前記排出手段は、前記ノズル部を経由して遊技媒体を排出すべくなしてあることを特徴とする。
【００１１】
第３発明においては、貸出装置は、ノズル部を備えて該ノズル部を経由して遊技媒体を排出する形態であり、外部の容器などに遊技媒体を直接に排出できる遊技媒体貸出機が実現される。
【００１２】
第４発明に係る遊技媒体貸出機は、前記貸出装置は、受皿を備え、前記排出手段は、前記受皿へ遊技媒体を排出すべくなしてあることを特徴とする。
【００１３】
第４発明においては、貸出装置は、受皿を備えて該受皿に遊技媒体を排出する形態であり、遊技者が受皿に排出された遊技媒体を確認して借り受ける遊技媒体貸出機が実現される。
【００１４】
第５発明に係る遊技媒体貸出機は、前記排出手段は、蓋部を備え、該蓋部は、開状態のときに遊技媒体の取り出しを可能にさせ、閉状態のときに遊技媒体の取り出しを不可能にさせるべくなしてあることを特徴とする。
【００１５】
第５発明においては、閉状態のときに遊技媒体の取り出しを不可能にさせる蓋部を備えることにより、遊技媒体の貸し出しを受けるべき遊技者以外の他人が遊技媒体を取り出すことを防止することができる。
【００１６】
第６発明に係る遊技媒体貸出機は、前記貨幣処理装置は、受け付けた貨幣を保管する手段を備えることを特徴とする。
【００１７】
第６発明においては、貨幣処理装置は、受け付けた貨幣を保管する手段を備え、紙幣を内部で保管する遊技媒体貸出機が実現される。
【００１８】
第７発明に係る遊技媒体貸出機は、前記貨幣処理装置は、受け付けた貨幣を外部へ移送する手段を備えることを特徴とする。
【００１９】
第７発明においては、貨幣処理装置は、受け受けた貨幣を外部へ移送する手段を備え、複数の貨幣処理装置を備えた遊技店において貨幣をまとめて管理できる遊技媒体貸出機が実現される。
【００２０】
第８発明に係る遊技媒体貸出システムは、遊技店に設けられ、遊技機での使用が可能な遊技媒体を貸し出すための遊技媒体貸出システムにおいて、遊技媒体を貸し出す貸出装置と、該貸出装置に接続されてあり、貨幣を受け付ける貨幣処理装置、及び／又は有価価値を記録した記録媒体を受け付ける記録媒体処理装置とを備え、前記貸出装置と、前記貨幣処理装置及び／又は前記記録媒体処理装置とは、別体に構成してあって、互いに離間して備えてあり、前記貨幣処理装置は、貨幣を受け付ける手段と、受け付けた貨幣の額に対応した量の遊技媒体の貸し出しを指示する貸出指示を前記貸出装置へ送信する手段とを備え、前記記録媒体処理装置は、前記記録媒体を受け付ける手段と、受け付けた前記記録媒体に記録されている有価価値を読み出す手段と、読み出した有価価値に対応した量の遊技媒体の貸し出しを指示する貸出指示を前記貸出装置へ送信する手段とを備え、前記貸出装置は、前記貨幣処理装置又は前記記録媒体処理装置から受信した貸出指示に従った量の遊技媒体を排出する排出手段を備えることを特徴とする。
【００２１】
第８発明においては、貸出装置と、貨幣処理装置、及び／又は記録媒体処理装置とを互いに離間して備えた遊技媒体貸出システムを構成することにより、夫々の装置を適切に配置して遊技の利便性を向上させることができる。
【００２２】
第９発明に係る遊技媒体貸出システムは、前記貨幣処理装置又は前記記録媒体処理装置は、認証番号の指定を受け付ける手段と、指定された認証番号を前記貸出装置へ送信する手段とを備え、前記貸出装置は、受信した認証番号を記憶する手段と、認証番号を受け付ける手段と、受け付けた認証番号と記憶している認証番号とが一致しているか否かを判定する判定手段とを備え、前記排出手段は、前記判定手段により認証番号が一致すると判定された場合に、遊技媒体を排出すべくなしてあることを特徴とする。
【００２３】
第９発明においては、貨幣処理装置又は記録媒体処理装置は認証番号の指定を受け付ける手段を備え、貸出装置は、認証番号を受け付けて、指定された認証番号と一致する場合に遊技媒体を貸し出す構成とすることにより、遊技媒体を貸し出すべき遊技者を確認することができる。
【００２４】
第１０発明に係る遊技媒体貸出システムは、前記排出手段は、閉状態のときに遊技媒体の取り出しを不可能にさせる蓋部を備え、該蓋部は、前記判定手段により認証番号が一致すると判定された場合に、開状態となって遊技媒体の取り出しを可能にさせるべくなしてあることを特徴とする。
【００２５】
第１０発明においては、貸出装置は、認証番号が一致した場合に開状態となる蓋部を備えることにより、遊技者を確認してから遊技媒体を排出することができる。
【００２６】
【発明の実施の形態】
以下本発明をその実施の形態を示す図面に基づき具体的に説明する。
（実施の形態１）
図１は、本発明の遊技媒体貸出機の例を示した正面図である。本発明の遊技媒体貸出機は、貨幣を受け付ける貨幣処理装置１１と、磁気カード又はＩＣカード等の、有価価値を記録した記録媒体を受け付ける記録媒体処理装置２１と、遊技玉またはメダル等の遊技店での遊技に用いられる遊技媒体を貸し出す貸出装置３１とを夫々独立した装置として備えており、貨幣処理装置１１、記録媒体処理装置２１、及び貸出装置３１は互いに接続され、貨幣処理装置１１又は記録媒体処理装置２１は、遊技媒体の貸出の指示を貸出装置３１へ送信し、貸出装置３１は、受信した指示に従って遊技媒体を遊技者に対して貸し出す構成となっている。また、本発明の遊技媒体貸出機は、更に、貨幣処理装置１１、記録媒体処理装置２１、及び貸出装置３１を一体に組み合わせて固定する固定枠４を備えている。
【００２７】
貨幣処理装置１１は、紙幣の挿入を受け付ける紙幣挿入口１０１を備え、遊技者から紙幣の挿入を紙幣挿入口１０１にて受け付ける構成となっている。また、貨幣処理装置１１は、キャンセルボタン１０２を備え、遊技者の押下操作を受け付けることにより、紙幣挿入口１０１にて受け付けた紙幣を紙幣挿入口１０１から前面へ排出して、紙幣を遊技者へ返却することができる構成となっている。
【００２８】
記録媒体処理装置２１は、磁気カード又はＩＣカード等の記録媒体を受け付ける記録媒体挿入口２０１を備え、有価価値の額を表示する有価価値表示部２０４を備えており、遊技者から記録媒体の挿入を記録媒体挿入口２０１にて受け付け、受け付けた記録媒体に記録されている有価価値の額を有価価値表示部２０４にて表示する構成となっている。また、有価価値表示部２０４は、貨幣処理装置１１が紙幣挿入口１０１にて受け付けた紙幣の額を表示する機能を有している。記録媒体処理装置２１は、排出ボタン２０２を備え、遊技者の押下操作を受け付けることにより、記録媒体挿入口２０１にて受け付けた記録媒体を記録媒体挿入口２０１から前面へ排出して、記録媒体を遊技者へ返却することができる構成となっている。記録媒体処理装置２１は、消費額表示部２０５と、テンキー２０６とを備え、遊技者の操作により、テンキー２０６にて有価価値の消費額を受け付け、受け付けた消費額を消費額表示部２０５に表示する構成となっている。更に、記録媒体処理装置２１は、貸出の指示を受け付ける貸出ボタン２０３を備え、遊技者からの貸出ボタン２０３への押下操作を受け付けることにより、貸出装置３１へ貸出の指示を送信する構成となっている。
【００２９】
貸出装置３１は、前面にノズル部３１１を備え、記録媒体処理装置２１から受信した貸出の指示に従って、遊技媒体を内部からノズル部３１１を通して外部へ排出する構成となっている。
【００３０】
図２は、貨幣処理装置１１、記録媒体処理装置２１、及び貸出装置３１の夫々の構成を示す側面図であり、固定枠４は、破線にて示してある。貨幣処理装置１１は、ＣＰＵ及びメモリ等から構成されている制御部１１３を備え、制御部１１３は、図示しないＲＯＭに記録されたプログラムに従って貨幣処理装置１１を制御する。貨幣処理装置１１は、紙幣処理部１１１を備えており、紙幣挿入口１０１にて受け付けた紙幣を判別する。貨幣処理装置１１は、紙幣処理部１１１の下面方向に金庫部１１２を備えており、貨幣処理装置１１は、判別した紙幣を金庫部１１２へ移送し、金庫部１１２にて紙幣が保管される。制御部１１３は、また、インタフェース部１１４を備え、インタフェース部１１４は、固定枠４の第１インタフェース４１に着脱可能に接続されている。制御部１１３は、外部との間で交換すべき各種の情報を、インタフェース部１１４に接続された第１インタフェース部４１を介して送受信し、固定枠４は、前記情報を中継する。
【００３１】
記録媒体処理装置２１は、ＣＰＵ及びメモリ等から構成されている制御部２１３を備え、制御部２１３は、図示しないＲＯＭに記録されたプログラムに従って記録媒体処理装置２１を制御する。記録媒体処理装置２１は、リーダライタ部２１１を備え、記録媒体挿入口２０１にて受け付けた記録媒体が記録している情報の読み書きを行い、読みとった情報は、制御部２１３に入力される。記録媒体処理装置２１は、リーダライタ部２１１の下面方向に記録媒体保管部２１２を備えており、記録媒体処理装置２１は、記録されている有価価値が無価値となった記録媒体を記録媒体保管部２１２にて保管する。図３は、記録媒体保管部２１２の内部を示した模式的正面断面図である。リーダライタ部２１１は、記録されている有価価値が無価値となった記録媒体を下方へ落下させ、記録媒体保管部２１２は、リーダライタ部２１１から図中の矢印の方向に沿って落下してきた記録媒体を、順に斜めに立てかけて保管する。制御部１１３は、また、インタフェース部２１４を備え、インタフェース部２１４は、固定枠４の第２インタフェース４２に着脱可能に接続されている。制御部２１３は、外部との間で交換すべき各種の情報を、インタフェース部２１４に接続された第２インタフェース部４２を介して送受信する。
【００３２】
貸出装置３１は、遊技媒体の排出機構を有する処理部３１２を備え、処理部３１２は、背面方向に、遊技媒体の補給を外部から受けるための補給ダクト３１３を備えている。処理部３１２は、また、インタフェース部３１４を備え、インタフェース部３１４は、固定枠４の第３インタフェース４３に着脱可能に接続されており、外部との間で交換すべき各種の情報を、インタフェース部３１４に接続された第３インタフェース部４３を介して送受信する。
【００３３】
図４は、本発明の遊技媒体貸出機の組立態様を示す斜視図である。貨幣処理装置１１、記録媒体処理装置２１、及び貸出装置３１は、固定枠４に対して着脱可能に構成されている。貨幣処理装置１１は、前面から固定枠４に差し込まれ、インタフェース部１１４が第１インタフェース４１に接続されることにより、固定枠４に固定され、また、インタフェース部１１４と第１インタフェース４１との接続をはずすことにより、貨幣処理装置１１は、固定枠から前面へ離脱可能となっている。記録媒体処理装置２１又は貸出装置３１についても、同様に、前面から固定枠４に差し込まれ、インタフェース部２１４又はインタフェース部３１４が第２インタフェース４２又は第３インタフェース４３に接続されることにより、固定枠４に固定され、また、インタフェース部２１４と第２インタフェース４２との接続、又はインタフェース部３１４と第３インタフェース４３との接続をはずすことにより、記録媒体処理装置２１又は貸出装置３１は、固定枠から前面へ離脱可能となっている。
【００３４】
図５は、本発明の遊技媒体貸出機が行う紙幣を用いた貸出処理の手順を示すフローチャートである。貨幣処理装置１１は、紙幣挿入口１０１にて、遊技者から紙幣の挿入を受け付け（Ｓ１０１）、受け付けた紙幣の額を紙幣処理部１１１にて判別し（Ｓ１０２）、制御部１１３は、紙幣処理部１１１が判別した紙幣の額を、インタフェース部１１４から第１インタフェース部４１を介して記録媒体処理装置２１へ送信する（Ｓ１０３）。記録媒体処理装置２１の制御部２１３は、インタフェース部２１４にて貨幣処理装置１１から紙幣の額を受信し（Ｓ１０４）、受信した紙幣の額を有価価値表示部２０４に表示する（Ｓ１０５）。貨幣処理装置１１の制御部１１３は、次に、前記紙幣の額を対価とする量の遊技媒体を貸し出すべき貸出指示を、インタフェース部１１４から第１インタフェース部４１を介して貸出装置３１へ送信する（Ｓ１０６）。貸出装置３１の処理部３１２は、インタフェース部３１４にて貨幣処理装置１１からの貸出指示を受信し（Ｓ１０７）、受信した貸出指示に従って、前記紙幣の額を対価とする量の遊技媒体をノズル部３１１を通して排出し（Ｓ１０８）、処理を終了する。また、貨幣処理装置１１は、受け付けた紙幣を金庫部１１２にて保管する。遊技者は、ノズル部３１１から排出された遊技媒体を容器などに受けて、該遊技媒体を用いて遊技機での遊技を行う。
【００３５】
図６は、本発明の遊技媒体貸出機が行う記録媒体を用いた貸出処理の手順を示すフローチャートである。記録媒体処理装置２１は、記録媒体挿入口２０１にて、遊技者から記録媒体の挿入を受け付け（Ｓ２０１）、受け付けた記録媒体が記録している有価価値をリーダライタ部２１１が読み込み（Ｓ２０２）、制御部２１３は、リーダライタ部２１１が読み込んだ有価価値の額を有価価値表示部２０４に表示する（Ｓ２０３）。制御部２１３は、テンキー２０６にて遊技者の操作を受け付けて、遊技媒体の対価として消費すべき有価価値の消費額を受け付け（Ｓ２０４）、消費額表示部２０５に消費額を表示する（Ｓ２０５）。制御部２１３は、次に、貸出ボタン２０３にて、遊技者の押下操作を受け付けて、前記消費額を対価とする量の遊技媒体を貸し出すべき貸出指示を、インタフェース部２１４から第２インタフェース部４２を介して貸出装置３１へ送信する（Ｓ２０６）。貸出装置３１の処理部３１２は、インタフェース部３１４にて記録媒体処理装置２１からの貸出指示を受信し（Ｓ２０７）、受信した貸出指示に従って、前記消費額を対価とする量の遊技媒体をノズル部３１１を通して排出する（Ｓ２０８）。記録媒体処理装置２１は、リーダライタ部２１１にて、受け付けている記録媒体が記録している有価価値を消費額だけ減額し（Ｓ２０９）、記録媒体が記録している有価価値に残額があるか否かを判定し（Ｓ２１０）、残額がある場合は（Ｓ２１０：ＹＥＳ）、記録媒体を記録媒体挿入口２０１から前面へ排出して（Ｓ２１０）、処理を終了し、残額がない場合は（Ｓ２１０：ＮＯ）、リーダライタ部２１１から下方へ記録媒体を落下させて、該記録媒体を記録媒体保管部２１２に取り込み（Ｓ２１２）、処理を終了する。
【００３６】
貨幣処理装置１１、記録媒体処理装置２１、及び貸出装置３１は、夫々別体に構成され、互いに着脱可能となっているため、他の形態の装置と交換することが容易となっている。図７は、本発明の遊技媒体貸出機の他の態様を示す斜視図である。図７（ａ）に示す遊技媒体貸出機では、貸出装置３２は、前面に受皿３２１を備え、遊技媒体を内部から受皿３２１へ排出する構成となっている。遊技者は、受皿３２１へ排出された遊技媒体を確認して、遊技媒体を借り受ける。図７（ｂ）に示す遊技媒体貸出機では、貨幣処理装置１２は、金庫部１１２を備えずに、紙幣処理部１１１の背面に直結して、紙幣排出部１２１を備えており、紙幣処理部１１１が処理した紙幣を、図示しない外部金庫または紙幣の搬送装置などへ移送すべく、紙幣排出部１２１は、前記紙幣を背面方向へ排出する。複数の遊技媒体貸出機を備えた遊技店では、紙幣排出部１２１から排出された紙幣を一カ所でまとめて保管できる。図７（ｃ）に示す遊技媒体貸出機は、貨幣処理装置１２と貸出装置３２とを備えた形態である。夫々の装置では、現在どの態様の装置が備えられているかを示す情報を他の装置へ伝達する手段を備えており、これによって各装置は他の装置を認識し、全体として遊技媒体貸出機が機能する。
【００３７】
以上の如く、本発明の遊技媒体貸出機は、貨幣処理装置、記録媒体処理装置２１、及び貸出装置を夫々別体の装置として構成し、互いに着脱可能に接続される形態としたため、夫々の装置が容易に交換可能となる。遊技媒体貸出機の一部の機能を改良する場合は、機能を改良する装置を交換することで容易に改良がなり、全体を交換する必要がないため、改良のために必要な手間とコストとを小さくすることができる。また、故障が発生した場合においても、故障した装置のみを修理または交換すれば良いため、遊技媒体貸出機の維持コストを小さくすることができる。更に、遊技者のニーズに合わせて遊技媒体貸出機を改良することが可能となり、遊技店の魅力を向上させることができる。
【００３８】
なお、本実施の形態においては、各装置が固定枠４に固定されて間接的に組み合わせてある形態を示しているが、固定枠４を介さずに各装置が直接に組み合わせてある形態としてもよい。また、貨幣処理装置または記録媒体処理装置２１のいずれかのみが貸出装置に接続されている形態であってもよい。
【００３９】
また、本実施の形態においては、貨幣処理装置は、受け付けた紙幣の額に対応する量の遊技媒体の貸出指示を送信する形態を示しているが、受け付けた紙幣の額のうちの消費額を受け付ける手段と、紙幣の額から消費額を差し引いた額の釣り銭を排出する手段とを備える形態であってもよい。また、貸出装置は、閉状態のときに遊技媒体の取り出しを不可能にさせる蓋部を備える形態としてもよい。この場合は、遊技媒体の貸し出しを受けるべき遊技者以外の他人が遊技媒体を取り出すことを防止することができる。更に、貨幣処理装置または記録媒体処理装置２１は、テンキー等を利用して認証情報を指定する手段を備え、貸出装置は、認証情報を受け付けるテンキー等の手段を備え、指定された認証情報と受け付けた認証情報とが一致するときに遊技媒体を貸し出す形態としてもよい。この場合は、遊技者が席を外した場合などに該遊技者以外の他人が遊技媒体を取り出すことを防止することができる。
【００４０】
（実施の形態２）
図８は、実施の形態２における遊技媒体貸出システムを示す模式的斜視図である。本実施の形態においては、貨幣処理装置１３、記録媒体処理装置２２、及び貸出装置３３を、互いに離間して遊技店内に備え、遊技店内の通信ネットワークＮを用いて互いに情報を交換して、遊技媒体貸出の処理を行う。
【００４１】
貨幣処理装置１３は、紙幣の金額を表示する金額表示部１０３を備えており、遊技者から紙幣の挿入を紙幣挿入口１０１にて受け付け、受け付けた紙幣の金額を金額表示部１０３にて表示する構成となっている。貨幣処理装置１３は、消費額表示部１０４と、消費額設定ボタン１０６とを備え、遊技者からの消費額設定ボタン１０６への押下操作を受け付けることにより、受け付けた紙幣の金額から消費すべき消費額の候補を消費額表示部１０４に表示し、最後の押下操作により消費額表示部１０４に表示された金額を消費額として受け付ける構成となっている。また、貨幣処理装置１３は、貸出の指示を受け付ける貸出ボタン１０７を備え、遊技者からの貸出ボタン１０７への押下操作を受け付けることにより、貸出装置３３へ貸出の指示を送信する。また、貨幣処理装置１３は、釣り銭を排出する釣り銭排出口１０８と釣り銭を保管する釣り銭保管部１３１とを備えており、受け付けた紙幣の金額から消費額を差し引いた釣り銭を釣り銭排出口１０８から前面へ排出する構成となっている。貨幣処理装置１３は、更に、テンキー１０５を備え、制御部１１３は遊技店内の通信ネットワークＮに接続されている。貨幣処理装置１３は、例えば遊技店の入り口付近に設置され、遊技者から紙幣の挿入を受け付け、該遊技者を貸出装置３３に認証させるための認証番号をテンキーにて受け付ける構成となっている。貨幣処理装置１３のその他の構成は実施の形態１における貨幣処理装置１１と同様であり、対応する部分に同符号を付してその説明を省略する。
【００４２】
記録媒体処理装置２２は、同様にテンキー２０６で認証番号を受け付ける構成となっており、制御部２１３は通信ネットワークＮに接続されている。記録媒体処理装置２２のその他の構成は実施の形態１と同様であり、対応する部分に同符号を付してその説明を省略する。
【００４３】
貸出装置３３は、テンキー３３２と、テンキー３３２から入力された情報を表示する表示部３３１とを備え、処理部３１２は通信ネットワークＮに接続されている。貸出装置３３は、更に、開閉式の蓋部３３３を備え、処理部３１２は、テンキー３３２にて認証番号を受け付け、受け付けた認証番号が正当である場合に、蓋部３３３を解放して遊技媒体を排出すべく貸出装置３３を制御する。貸出装置３３は、例えば遊技機の付近に設置され、記録媒体処理装置２２又は貸出装置３３から受信した情報に従って、遊技媒体を遊技者に対して貸し出す。
【００４４】
図９は、実施の形態２に係る遊技媒体貸出システムが行う紙幣を用いた貸出処理の手順を示すフローチャートである。貨幣処理装置１３は、紙幣挿入口１０１にて、遊技者から紙幣の挿入を受け付け（Ｓ３０１）、受け付けた紙幣の額を紙幣処理部１１１にて判別し（Ｓ３０２）、制御部１１３は、紙幣処理部１１１が判別した紙幣の額を金額表示部１０３に表示する（Ｓ３０３）。制御部１１３は、消費額設定ボタン１０６にて、遊技者の押下操作を受け付けて、遊技媒体の対価として消費すべき消費額を受け付け（Ｓ３０４）、消費額表示部１０４に消費額を表示する（Ｓ３０５）。制御部１１３は、次に、テンキー１０５にて、遊技者の操作による認証番号の指定を受け付け（Ｓ３０６）、次に、貸出ボタン１０７にて、遊技者の押下操作を受け付けて、前記消費額を対価とする量の遊技媒体を貸し出すべき貸出指示、及び指定を受け付けた認証番号を、通信ネットワークＮを介して貸出装置３３へ送信する（Ｓ３０７）。貨幣処理装置１３は、受け付けた紙幣を金庫部１１２にて保管し、制御部１１３は、紙幣の額と消費額の額とから、釣り銭の必要があるか否かを判定し（Ｓ３０８）、釣り銭の必要がある場合は（Ｓ３０８：ＹＥＳ）、受け付けた紙幣の額と消費額との差額の紙幣を、釣り銭保管部１０７から釣り銭排出口１０８にて前面へ排出して（Ｓ３０９）、処理を終了し、釣り銭の必要がない場合は（Ｓ３０８：ＮＯ）、そのまま処理を終了する。
【００４５】
貸出装置３１は、通信ネットワークＮを介して貨幣処理装置１３から貸出指示および認証番号を受信し（Ｓ３１０）、受信した貸出指示および認証番号を処理部３１２は記憶する。処理部３１２は、テンキー３３２にて遊技者の操作により認証番号の入力を受け付け（Ｓ３１１）、受け付けた認証番号と記憶している認証番号とを比較して、受け付けた認証番号が正当であるか否かを判定する（Ｓ３１２）。受け付けた認証番号が正当でなかった場合は（Ｓ３１２：ＮＯ）、処理をステップＳ３１１へ戻し、受け付けた認証番号が正当であった場合は（Ｓ３１２：ＹＥＳ）、蓋部３３３を開放し（Ｓ３１３）、記憶している貸出指示に従って、前記消費額を対価とする量の遊技媒体を排出し（Ｓ３１４）、処理を終了する。
【００４６】
図１０は、実施の形態２に係る遊技媒体貸出システムが行う記録媒体を用いた貸出処理の手順を示すフローチャートである。記録媒体処理装置２２は、記録媒体挿入口２０１にて、遊技者から記録媒体の挿入を受け付け（Ｓ４０１）、受け付けた記録媒体が記録している有価価値をリーダライタ部２１１が読み込み（Ｓ４０２）、制御部２１３は、リーダライタ部２１１が読み込んだ有価価値の額を有価価値表示部２０４に表示する（Ｓ４０３）。制御部２１３は、テンキー２０６にて遊技者の操作を受け付けて、遊技媒体の対価として消費すべき有価価値の消費額を受け付け（Ｓ４０４）、消費額表示部２０５に消費額を表示する（Ｓ４０５）。制御部２１３は、次に、テンキー２０６にて、遊技者の操作による認証番号の指定を受け付け（Ｓ４０６）、次に、貸出ボタン２０３にて、遊技者の押下操作を受け付けて、前記消費額を対価とする量の遊技媒体を貸し出すべき貸出指示、及び指定を受け付けた認証番号を、通信ネットワークＮを介して貸出装置３３へ送信する（Ｓ４０７）。記録媒体処理装置２１は、リーダライタ部２１１にて、受け付けている記録媒体が記録している有価価値を消費額だけ減額し（Ｓ４０８）、記録媒体が記録している有価価値に残額があるか否かを判定し（Ｓ４０９）、残額がある場合は（Ｓ４０９：ＹＥＳ）、記録媒体を記録媒体挿入口２０１から前面へ排出して（Ｓ４１０）、処理を終了し、残額がない場合は（Ｓ４０９：ＮＯ）、リーダライタ部２１１から下方へ記録媒体を落下させて、該記録媒体を記録媒体保管部２１２に取り込み（Ｓ４１１）、処理を終了する。
【００４７】
貸出装置３１は、通信ネットワークＮを介して記録媒体処理装置２２から貸出指示および認証番号を受信し（Ｓ４１２）、処理部３１２は受信した貸出指示および認証番号を記憶する。処理部３１２は、テンキー３３２にて認証番号を受け付け（Ｓ４１３）、受け付けた認証番号と記憶している認証番号とを比較して、受け付けた認証番号が正当であるか否かを判定する（Ｓ４１４）。受け付けた認証番号が正当でなかった場合は（Ｓ４１４：ＮＯ）、処理をステップＳ４１３へ戻し、受け付けた認証番号が正当であった場合は（Ｓ４１４：ＹＥＳ）、蓋部３３３を開放し（Ｓ４１５）、記憶している貸出指示に従って、前記消費額を対価とする量の遊技媒体を排出し（Ｓ４１６）、処理を終了する。
【００４８】
本実施の形態においては、貨幣処理装置１３又は記録媒体処理装置２２にて紙幣または記録媒体に記録された有価価値を受け付ける処理を行い、離間して設置した貸出装置３３へ遊技媒体の貸出指示を送信し、遊技媒体の貸出を行う。貨幣処理装置１３、記録媒体処理装置２２、及び貸出装置３３を個別に配置可能とすることで、貨幣処理装置１３又は記録媒体処理装置２２を両替機または記録媒体の販売機の付近に設置し、貸出装置３３を遊技機の付近に設置するなど、夫々の装置を適切に配置して、遊技者にとって遊技の利便性を向上させることができる。貨幣処理装置１３及び記録媒体処理装置２２にて認証番号の指定を受け付け、貸出装置３３は、認証番号が一致した場合に遊技媒体を貸し出すことにより、他の遊技者が遊技媒体を得ることを防止する。本実施の形態においても、遊技媒体貸出システムの一部の機能を改良する場合は、機能を改良する装置を交換することで容易に改良を行うことができる。
【００４９】
なお、本実施の形態においては、認証番号を受け付けて遊技者を確信する形態を示しているが、暗証番号を受け付ける手段を備えていない形態であってもよい。また、貨幣処理装置１３は、実施の形態１と同様に金庫部１１２ではなく紙幣排出部を備える形態であってもよく、更に、貸出装置３３は、実施の形態１と同様のノズル部または受皿を備える形態であってもよい。
【００５０】
【発明の効果】
第１発明においては、貸出装置と、貨幣処理装置、及び／又は記録媒体処理装置とを夫々別体の装置として備え、互いの装置が接続された遊技媒体貸出機を構成したため、改良すべき機能を有するいずれかの装置を交換することにより、遊技媒体貸出機の機能の一部の改良が容易となり、改良のために必要な手間とコストとを小さくすることができる。また、故障が発生した場合においても、故障した装置のみを修理または交換すれば良いため、遊技媒体貸出システムの維持コストを小さくすることができる。更に、遊技者のニーズに合わせて遊技媒体貸出システムを改良することが可能となり、遊技店の魅力を向上させることができる。
【００５１】
第２発明においては、貸出装置と、貨幣処理装置、及び／又は記録媒体処理装置とを組み合わせて固定し、夫々の装置が着脱可能な固定枠を設けたため、複数種類の形態の夫々の装置を組み合わせて、多様な遊技媒体貸出機を構成することが容易となる。
【００５２】
第３発明においては、貸出装置は、ノズル部を備えて該ノズル部を経由して遊技媒体を排出する形態であり、外部の容器などに遊技媒体を直接に排出できる遊技媒体貸出機が実現される。
【００５３】
第４発明においては、貸出装置は、受皿を備えて該受皿に遊技媒体を排出する形態であり、遊技者が受皿に排出された遊技媒体を確認して借り受ける遊技媒体貸出機が実現される。
【００５４】
第５発明においては、貸出装置は、閉状態のときに遊技媒体の取り出しを不可能にさせる蓋部を備えることにより、遊技媒体の貸し出しを受けるべき遊技者以外の他人が遊技媒体を取り出すことを防止することができる。
【００５５】
第６発明においては、貨幣処理装置は、受け付けた貨幣を保管する手段を備え、紙幣を内部で保管する遊技媒体貸出機が実現される。
【００５６】
第７発明においては、貨幣処理装置は、受け受けた貨幣を外部へ移送する手段を備え、複数の貨幣処理装置を備えた遊技店において貨幣をまとめて管理できる遊技媒体貸出機が実現される。
【００５７】
第８発明においては、貸出装置と、貨幣処理装置、及び／又は記録媒体処理装置とを互いに離間して備えた遊技媒体貸出システムを構成することにより、夫々の装置を適切に配置して遊技の利便性を向上させることができる。
【００５８】
第９発明においては、貨幣処理装置又は記録媒体処理装置は認証番号の指定を受け付ける手段を備え、貸出装置は、認証番号を受け付けて、指定された認証番号と一致する場合に遊技媒体を貸し出す構成とすることにより、遊技媒体を貸し出すべき遊技者を確認することができる。
【００５９】
第１０発明においては、貸出装置は、認証番号が一致した場合に開状態となる蓋部を備えることにより、遊技者を確認してから遊技媒体を排出することができる等、本発明は優れた効果を奏する。
【図面の簡単な説明】
【図１】本発明の遊技媒体貸出機の例を示した正面図である。
【図２】貨幣処理装置、記録媒体処理装置、及び貸出装置の夫々の構成を示す側面図である。
【図３】記録媒体保管部の内部を示した模式的正面断面図である。
【図４】本発明の遊技媒体貸出機の組立態様を示す斜視図である。
【図５】本発明の遊技媒体貸出機が行う紙幣を用いた貸出処理の手順を示すフローチャートである。
【図６】本発明の遊技媒体貸出機が行う記録媒体を用いた貸出処理の手順を示すフローチャートである。
【図７】本発明の遊技媒体貸出機の他の態様を示す斜視図である。
【図８】実施の形態２における遊技媒体貸出システムを示す模式的斜視図である。
【図９】実施の形態２に係る遊技媒体貸出システムが行う紙幣を用いた貸出処理の手順を示すフローチャートである。
【図１０】実施の形態２に係る遊技媒体貸出システムが行う記録媒体を用いた貸出処理の手順を示すフローチャートである。
【符号の説明】
１１、１２、１３　貨幣処理装置
１０１　紙幣挿入口
１０５　テンキー
１１１　紙幣処理部
１１２　金庫部
１２１　紙幣排出部
２１、２２　記録媒体処理装置
２０１　記録媒体挿入口
２０６　テンキー
３１、３２、３３　貸出装置
３１１　ノズル部
３２１　受皿
３３３　蓋部
４　固定枠
Ｎ　通信ネットワーク
【図１】
2004073599.tif 000003
【図２】
2004073599.tif 000004
【図３】
2004073599.tif 000005
【図４】
2004073599.tif 000006
【図５】
2004073599.tif 000007
【図６】
2004073599.tif 000008
【図７】
2004073599.tif 000009
【図８】
2004073599.tif 000010
【図９】
2004073599.tif 000011
【図１０】
2004073599.tif 000012